(57)【要約】  ヒューマンモデルの状態の評価の精度の向上を図ることが可能な評価システム、空間の設計支援システム、評価方法及びプログラムを提供する。評価システム（１）は、第１取得部（１１）と、第２取得部（１２）と、評価部（１３）と、を備える。第１取得部（１１）は、モデル情報（Ｄ１）を取得する。モデル情報（Ｄ１）は、仮想空間に配置される人のモデルデータからなるヒューマンモデルに関する情報である。第２取得部（１２）は、環境情報（Ｄ２）を取得する。環境情報（Ｄ２）は、仮想空間に対応付けられておりヒューマンモデルに対して特定の作用を及ぼし得る環境に関する情報である。評価部（１３）は、モデル情報（Ｄ１）と環境情報（Ｄ２）とに基づいて、ヒューマンモデルの状態を評価する。
2020174886.tif 000002
【特許請求の範囲】
【請求項１】
仮想空間に配置される人のモデルデータからなるヒューマンモデルに関するモデル情報を取得する第１取得部と、
前記仮想空間に対応付けられており前記ヒューマンモデルに対して特定の作用を及ぼし得る環境に関する環境情報を取得する第２取得部と、
前記モデル情報と前記環境情報とに基づいて、前記ヒューマンモデルの状態を評価する評価部と、を備える、
評価システム。
【請求項２】
前記モデル情報と前記環境情報との少なくとも一方は、時間経過に伴って変化する、
請求項１に記載の評価システム。
【請求項３】
前記評価部の評価結果をユーザに提示する提示部を更に備える、
請求項１又は２に記載の評価システム。
【請求項４】
前記提示部は、
前記評価部の評価結果を表し、かつ前記ヒューマンモデルを含む提示画面を表示することで、前記評価部の評価結果を提示し、
前記評価部の評価結果に応じて前記提示画面における前記ヒューマンモデルの表示態様を変化させる、
請求項３に記載の評価システム。
【請求項５】
前記提示画面は、前記ユーザの目に映る現実空間又は前記現実空間の画像に、前記ヒューマンモデルを重ねて表示する拡張現実領域を含む、
請求項４に記載の評価システム。
【請求項６】
前記仮想空間には前記ヒューマンモデルが複数配置され、
前記第１取得部は、前記複数のヒューマンモデルの各々について前記モデル情報を取得可能である、
請求項１〜５のいずれか１項に記載の評価システム。
【請求項７】
前記環境情報は、前記複数のヒューマンモデルのうちの１つのヒューマンモデルからなる第１モデルに対して特定の作用を及ぼし得る環境に関する情報として、前記複数のヒューマンモデルのうちの前記第１モデル以外の少なくとも１つのヒューマンモデルに関連する相互情報を含む、
請求項６に記載の評価システム。
【請求項８】
前記モデル情報は、前記ヒューマンモデルに固有の属性情報を含み、
前記評価部は、前記属性情報に応じて前記ヒューマンモデルの状態の評価を変える、
請求項１〜７のいずれか１項に記載の評価システム。
【請求項９】
前記環境情報は、前記仮想空間において前記ヒューマンモデルの周辺に設定される周辺エリアの環境に関する情報を含む、
請求項１〜７のいずれか１項に記載の評価システム。
【請求項１０】
前記環境情報は、前記ヒューマンモデルから発せられる要素に起因する環境に関する情報を含む、
請求項９に記載の評価システム。
【請求項１１】
前記環境情報は、前記ヒューマンモデルに対して作用を及ぼし得る温度及び照明の少なくとも一方に関する情報を含む、
請求項１〜１０のいずれか１項に記載の評価システム。
【請求項１２】
前記環境情報に対応する環境を調整する仮想設備の前記仮想空間における個数及び配置の少なくとも一方を決定する調整部を更に備える、
請求項１〜１１のいずれか１項に記載の評価システム。
【請求項１３】
請求項４又は５に記載の評価システムと、
表示装置と、を備え、
前記提示部は、前記提示画面を前記表示装置に表示させる、
空間の設計支援システム。
【請求項１４】
前記仮想空間は現実空間を模擬した空間であり、
前記提示部は、前記仮想空間における前記ヒューマンモデルの状態の評価結果に応じた前記提示画面を前記表示装置に表示させる、
請求項１３に記載の空間の設計支援システム。
【請求項１５】
仮想空間に配置される人のモデルデータからなるヒューマンモデルに関するモデル情報を取得する第１取得ステップと、
前記仮想空間に対応付けられており前記ヒューマンモデルに対して特定の作用を及ぼし得る環境に関する環境情報を取得する第２取得ステップと、
前記モデル情報と前記環境情報とに基づいて、前記ヒューマンモデルの状態を評価する評価ステップと、を有する、
評価方法。
【請求項１６】
請求項１５に記載の評価方法を、１以上のプロセッサに実行させるためのプログラム。
【発明の詳細な説明】
【技術分野】
【０００１】
本開示は、一般に評価システム、空間の設計支援システム、評価方法及びプログラムに関し、より詳細には、人のモデルデータからなるヒューマンモデルの状態の評価を行うための評価システム、空間の設計支援システム、評価方法及びプログラムに関する。
【背景技術】
【０００２】
特許文献１には、仮想空間に設けたヒューマンモデルであるデジタルヒューマンにより物品の仮想モデルを使用する動きのシミュレーションを仮想空間において行う物品設計支援装置が記載されている。【０００３】
特許文献１においては、物品の仮想モデルを使用する際のヒューマンモデルの動きの種類を指定し、ヒューマンモデルが指定された動きを行う際の、ヒューマンモデルの着目部位に作用する負荷を算出する。算出された負荷は、モニタ装置に表示される。
【先行技術文献】
【特許文献】
【０００４】
【特許文献１】特開２０１３−１２７６５４号公報
【発明の概要】
【０００５】
上述したようなヒューマンモデルを用いた評価については、より人（人体）に近い評価を得ること、つまりヒューマンモデルの状態の評価の精度の向上を図ることが望まれる。
【０００６】
本開示は上記事由に鑑みてなされ、ヒューマンモデルの状態の評価の精度の向上を図ることが可能な評価システム、空間の設計支援システム、評価方法及びプログラムを提供することを目的とする。
【０００７】
本開示の一態様に係る評価システムは、第１取得部と、第２取得部と、評価部と、を備える。前記第１取得部は、モデル情報を取得する。前記モデル情報は、仮想空間に配置されるヒューマンモデルに関する情報である。前記ヒューマンモデルは、人のモデルデータからなる。前記第２取得部は、環境情報を取得する。前記環境情報は、前記仮想空間に対応付けられており前記ヒューマンモデルに対して特定の作用を及ぼし得る環境に関する情報である。前記評価部は、前記モデル情報と前記環境情報とに基づいて、前記ヒューマンモデルの状態を評価する。
【０００８】
本開示の一態様に係る空間の設計支援システムは、前記評価システムと、表示装置と、を備える。前記提示部は、前記評価部の評価結果を表し、かつ前記ヒューマンモデルを含む提示画面を、前記表示装置に表示させる。
【０００９】
本開示の一態様に係る評価方法は、第１取得ステップと、第２取得ステップと、評価ステップと、を有する。前記第１取得ステップは、モデル情報を取得するステップである。前記モデル情報は、仮想空間に配置されるヒューマンモデルに関する情報である。前記ヒューマンモデルは、人のモデルデータからなる。前記第２取得ステップは、環境情報を取得するステップである。前記環境情報は、前記仮想空間に対応付けられており前記ヒューマンモデルに対して特定の作用を及ぼし得る環境に関する情報である。前記評価ステップは、前記モデル情報と前記環境情報とに基づいて、前記ヒューマンモデルの状態を評価するステップである。
【００１０】
本開示の一態様に係るプログラムは、前記評価方法を、１以上のプロセッサに実行させるためのプログラムである。
【図面の簡単な説明】
【００１１】
【図１】図１は、実施形態１に係る評価システムで用いる仮想空間を模式的に表す概念図である。
【図２】図２は、同上の評価システムの概略構成を示すブロック図である。
【図３】図３は、同上の評価システムの動作例を示すフローチャートである。
【図４】図４は、同上の評価システムの具体動作例を示し、仮想空間を模式的に表す概念図である。
【図５】図５は、同上の評価システムの使用例を示す現実空間を模式的に表す概念図である。
【図６】図６は、同上の評価システムの具体動作例を示し、仮想空間を模式的に表す概念図である。
【図７】図７は、実施形態２に係る評価システムで用いる仮想空間を模式的に表す概念図である。
【発明を実施するための形態】
【００１２】
（実施形態１）
（１）概要
本実施形態に係る評価システム１の概要について、図１及び図２を参照して説明する。
【００１３】
評価システム１は、ヒューマンモデルＨＭ１の状態の評価を行うためのシステムである。本開示でいう「ヒューマンモデル」は、１以上のプロセッサで処理可能なデータからなり、一例として、図１に示すように、現実空間での人を模した仮想的なモデルであって、仮想空間ＶＳ１に配置される。本開示でいう「仮想空間」は、１以上のプロセッサで処理可能なデータからなり、現実空間を模擬してコンピュータシステムにて再現される仮想的な空間である。一例として、仮想空間ＶＳ１は、実在する特定の室内を模した空間である。つまり、仮想空間ＶＳ１は、現実空間（実空間）に実在するわけではなく、実体を伴わない。また、ヒューマンモデルＨＭ１は、このような仮想空間ＶＳ１に存在するように設定された仮想的なモデルであって、現実空間（実空間）に実在するわけではなく、実体を伴わない。
【００１４】
このような評価システム１で得られる評価結果は、例えば、施設（建物を含む）の設計、施設のリフォーム、施設の評価、建築業界のマーケティング、並びに技術調査及び技術開発等に利用可能である。すなわち、仮想空間ＶＳ１に配置するヒューマンモデルＨＭ１の状態を評価することで、その評価結果を、例えば、施設の空間設計及び設備設計等に利用することができる。これにより、施設の空間設計及び設備設計等が容易になる。本開示でいう「リフォーム」は、経年劣化等により劣化した施設の修繕だけでなく、施設に新たな機能を追加したり、使い勝手を向上したりするために行うリノベーション（renovation）を含んでいる。本開示でいう「リフォーム」には、一例として、設備の交換、設備の追加、間取りの変更及び模様替え等が含まれている。
【００１５】
本実施形態に係る評価システム１は、図２に示すように、第１取得部１１と、第２取得部１２と、評価部１３と、を備えている。第１取得部１１は、モデル情報Ｄ１を取得する。モデル情報Ｄ１は、仮想空間ＶＳ１に配置されるヒューマンモデルＨＭ１に関する情報である。ヒューマンモデルＨＭ１は、人のモデルデータからなる。第２取得部１２は、環境情報Ｄ２を取得する。環境情報Ｄ２は、仮想空間ＶＳ１に対応付けられておりヒューマンモデルＨＭ１に対して特定の作用を及ぼし得る環境に関する情報である。評価部１３は、モデル情報Ｄ１と環境情報Ｄ２とに基づいて、ヒューマンモデルＨＭ１の状態を評価する。
【００１６】
すなわち、本実施形態に係る評価システム１では、ヒューマンモデルＨＭ１の状態の評価に、仮想空間ＶＳ１に対応付けられておりヒューマンモデルＨＭ１に対して特定の作用を及ぼし得る環境が反映される。例えば、現実空間（実空間）においては、温度（熱）及び照明（光）といった様々な環境が、現実空間に実在する人に対して特定の作用を及ぼす。そして、環境が人に及ぼす作用により、例えば、人の快適性等が変化する。評価システム１では、このような環境を加味した評価を、ヒューマンモデルＨＭ１が配置される仮想空間ＶＳ１においても適用することで、現実の「人」により近い形で、ヒューマンモデルＨＭ１の状態を評価できる。結果的に、ヒューマンモデルＨＭ１の状態の評価の精度の向上を図ることが可能である、という利点がある。
【００１７】
（２）詳細
以下、本実施形態に係る評価システム１の構成について、図１及び図２を参照して詳しく説明する。
【００１８】
（２．１）前提
以下では、評価システム１の評価結果が、施設（建物を含む）の設計に利用される場合を想定する。本開示でいう「施設」は、オフィス、工場、ビル、店舗、学校、福祉施設又は病院等の非住宅施設、及び戸建住宅、集合住宅、又は集合住宅の各住戸等の住宅施設を含む。非住宅施設には、劇場、映画館、公会堂、遊技場、複合施設、飲食店、百貨店、ホテル、旅館、幼稚園、図書館、博物館、美術館、地下街、駅及び空港等も含む。さらには、本開示でいう「施設」には、建物（建造物）だけでなく、球場、庭、駐車場、グランド及び公園等の屋外施設を含む。
【００１９】
本実施形態では特に、施設であるオフィスとして利用される室内の設計に、評価システム１の評価結果が利用される場合を例として説明する。よって、本実施形態では、評価システム１は、施設（ここではオフィス）に相当する仮想空間ＶＳ１に配置されるヒューマンモデルＨＭ１について評価を行う。ここで、仮想空間ＶＳ１は、施設（ここではオフィス）の内部空間（室内空間）を模した空間、つまり施設を仮想的に再現した空間である。
【００２０】
また、本開示でいうヒューマンモデルＨＭ１の「状態」は、ヒューマンモデルＨＭ１を現実の「人」と置き換えた場合における、「人」の精神的又は身体的な状態を意味する。本開示でいう「状態」は、例えば、快適性（快適度及び不快度を含む）、身体の各部への負荷（負担）、及び健康状態等を含む。本実施形態では一例として、「快適性」を、ヒューマンモデルＨＭ１の状態として評価の対象とする。
【００２１】
また、本開示でいう「環境」は、現実空間（実空間）に実在する人に対して特定の作用を及ぼし得る要素（事物）を意味する。一例として、「環境」は、温度（熱）、照明（光）、音、匂い及び空気質等のうちの１以上の要素を含む。環境は、例えば、温度及び照明のように、複数の要素の組み合わせも含む。
【００２２】
また、本開示でいう「特定の作用」は、上述したような環境により、現実空間（実空間）に実在する人に対して、物理的な変化を生じさせたり、何らかの感覚又は刺激等を与えたりすることを意味する。一例として、現実空間における温度（熱）といった環境は、現実空間に実在する人に対して、皮膚の温度変化を生じさせたり、暑い又は寒いといった感覚を与えたりすることで、人に対して特定の作用を及ぼし得る。
【００２３】
（２．２）構成
本実施形態に係る評価システム１は、上述した通り、第１取得部１１と、第２取得部１２と、評価部１３と、を備えている。また、本実施形態では、評価システム１は、図２に示すように、第１取得部１１、第２取得部１２及び評価部１３に加えて、提示部１４及び調整部１５を更に備えている。
【００２４】
さらに、本実施形態では、評価システム１は、モデル生成部２、環境生成部３、データベース４、情報端末５及び表示装置６の各々と、通信可能に構成されている。本開示でいう「通信可能」とは、有線通信又は無線通信の適宜の通信方式により、直接的、又はネットワーク若しくは中継器等を介して間接的に、信号を授受できることを意味する。すなわち、評価システム１は、モデル生成部２、環境生成部３、データベース４、情報端末５及び表示装置６の各々との間で、互いに信号を授受することができる。
【００２５】
本実施形態では一例として、評価システム１は、１以上のプロセッサ及び１以上のメモリを有するコンピュータシステム（サーバ、クラウドコンピューティングを含む）を主構成とする。プロセッサは、メモリに記録されているプログラムを実行することにより、評価システム１の機能を実現する。プログラムは、予めメモリに記録されていてもよいし、メモリカードのような非一時的記録媒体に記録されて提供されたり、電気通信回線を通して提供されたりしてもよい。言い換えれば、上記プログラムは、１以上のプロセッサを、評価システム１として機能させるためのプログラムである。
【００２６】
第１取得部１１は、上述したように、モデル情報Ｄ１を取得する。モデル情報Ｄ１は、上述したように、仮想空間ＶＳ１に配置されるヒューマンモデルＨＭ１に関する情報である。ヒューマンモデルＨＭ１は、人のモデルデータからなる。本実施形態では、仮想空間ＶＳ１は、施設としてのオフィスの内部空間（室内空間）を仮想的に再現した空間であるので、ヒューマンモデルＨＭ１は、施設としてのオフィスの内部空間に存在する「人」を仮想的に再現したモデルである。
【００２７】
第２取得部１２は、上述したように、環境情報Ｄ２を取得する。環境情報Ｄ２は、上述したように、仮想空間ＶＳ１に対応付けられており、かつヒューマンモデルＨＭ１に対して特定の作用を及ぼし得る環境に関する情報である。本実施形態では、環境情報Ｄ２は、施設としてのオフィスの内部空間（室内空間）を仮想的に再現した仮想空間ＶＳ１において、ヒューマンモデルＨＭ１に対して特定の作用を及ぼし得る環境に関する情報である。本実施形態では一例として、環境情報Ｄ２は、ヒューマンモデルＨＭ１に対して作用を及ぼし得る温度及び照明の少なくとも一方に関する情報を含むことと仮定する。また、環境情報Ｄ２は、ヒューマンモデルＨＭ１から発せられる要素（例えば熱）に起因する環境に関する情報を含むことと仮定する。
【００２８】
評価部１３は、上述したように、モデル情報Ｄ１と環境情報Ｄ２とに基づいて、ヒューマンモデルＨＭ１の状態を評価する。本実施形態では、一例として、評価部１３にて評価されるヒューマンモデルＨＭ１の状態は「快適性」である。つまり、評価部１３は、ヒューマンモデルＨＭ１を現実の「人」と置き換えた場合における、「人」の快適性を、モデル情報Ｄ１と環境情報Ｄ２とに基づいて評価する。状態（快適性）の評価について詳しくは、「（３）動作」の欄で説明する。
【００２９】
提示部１４は、評価部１３の評価結果をユーザＵ１（図５参照）に提示する。本実施形態では、提示部１４は、評価部１３の評価結果を、表示装置６に表示することによって、ユーザＵ１への提示を実現する。具体的には、提示部１４は、定期的に、不定期に、又は表示装置６からの要求への応答として、評価部１３の評価結果を表す結果情報を表示装置６に送信することで、表示装置６に評価部１３の評価結果を表示する。
【００３０】
本実施形態では、提示部１４は、評価部１３の評価結果を表し、かつヒューマンモデルＨＭ１を含む提示画面Ｉｍ１（図５参照）を表示する。本開示でいう提示画面Ｉｍ１等の「画面」は、表示装置６に映し出される像（テキスト、グラフ及びアイコン等を含む）である。つまり、提示部１４によって、表示装置６には、評価部１３の評価結果を表す提示画面Ｉｍ１が表示される。そして、この提示画面Ｉｍ１には、ヒューマンモデルＨＭ１が含まれている。
【００３１】
ここで、提示部１４は、評価部１３の評価結果に応じて提示画面Ｉｍ１におけるヒューマンモデルＨＭ１の表示態様を変化させるように構成されている。本開示でいう「表示態様」は、表示の色、動き（変形を含む）、明るさ（輝度を含む）、線種（線の太さ及び実線／破線等を含む）及び形状等を含む。つまり、提示画面Ｉｍ１に含まれているヒューマンモデルＨＭ１の表示態様（色等）は、評価部１３の評価結果に応じて変化する。
【００３２】
さらに、本実施形態では、提示画面Ｉｍ１は、ユーザＵ１の目に映る現実空間又は現実空間の画像に、ヒューマンモデルＨＭ１を重ねて表示する拡張現実領域Ｒ１（図５参照）を含む。すなわち、提示部１４は、提示画面Ｉｍ１のうち、少なくともヒューマンモデルＨＭ１については、現実空間（又は現実空間の画像）に重畳させて表示することにより、いわゆる拡張現実（ＡＲ：Augmented Reality）表示を実現する。提示画面Ｉｍ１について詳しくは、「（３）動作」の欄で説明する。
【００３３】
調整部１５は、仮想設備ＶＥ１〜ＶＥ３（図１参照）の仮想空間ＶＳ１における個数及び配置の少なくとも一方を決定する。仮想設備ＶＥ１〜ＶＥ３は、環境情報Ｄ２に対応する環境を調整する。ここで、仮想設備ＶＥ１〜ＶＥ３の個数は、０個以上、所定の上限値（例えば１００個）以下の範囲で任意に設定可能である。また、仮想設備ＶＥ１〜ＶＥ３の配置については、仮想空間ＶＳ１における任意の座標位置、かつ任意の向きを設定可能である。
【００３４】
仮想設備ＶＥ１〜ＶＥ３は、ヒューマンモデルＨＭ１と同様に、１以上のプロセッサで処理可能なデータからなり、仮想空間ＶＳ１に配置される設備を模した仮想的なモデルである。つまり、仮想設備ＶＥ１〜ＶＥ３は、仮想空間ＶＳ１に存在するように設定された仮想的なモデルであって、現実空間（実空間）に実在するわけではなく、実体を伴わない。ここでいう「設備」は、環境の形成に寄与する設備（機器、器具、装置及びシステムを含む）であって、据置型／可搬型のいずれであってもよい。仮想設備ＶＥ１〜ＶＥ３は、一例として、環境の一要素である「温度」を調整（発生を含む）する空調設備、ヒータ及び換気窓等、又は環境の一要素である「照明」を調整（発生を含む）する照明設備及び採光窓等の設備に相当する。
【００３５】
また、本実施形態では、評価システム１は、通信部１６、入力部１７及び記憶部１８等を更に備える。
【００３６】
通信部１６は、モデル生成部２、環境生成部３、データベース４、情報端末５及び表示装置６の各々との通信機能を有する。通信部１６は、モデル生成部２、環境生成部３、データベース４、情報端末５及び表示装置６の各々との間で、例えば、ネットワークを介して双方向の通信が可能である。
【００３７】
入力部１７は、ユーザＵ１の操作に応じた入力信号の入力を受け付ける。すなわち、評価システム１は、ユーザＵ１の操作を受け付けることが可能である。入力部１７は、一例として、情報端末５で発生する入力信号の入力を受け付ける。
【００３８】
記憶部１８は、例えば、第１取得部１１が取得したモデル情報Ｄ１、及び第２取得部１２が取得した環境情報Ｄ２等を記憶する。また、記憶部１８は、評価部１３等での演算に必要な情報等を更に記憶する。記憶部１８は、ＥＥＰＲＯＭ（Electrically Erasable Programmable Read-Only Memory）のような書き換え可能な不揮発性メモリを含む。
【００３９】
モデル生成部２は、モデル情報Ｄ１を生成する。モデル生成部２は、生成したモデル情報Ｄ１を、評価システム１（第１取得部１１）に対して、定期的に、不定期に、又は評価システム１からの要求への応答として出力する。モデル生成部２は、予め生成されている複数種類のモデル情報Ｄ１の中から、任意のモデル情報Ｄ１を選択して、評価システム１に出力してもよい。モデル情報Ｄ１は、少なくともヒューマンモデルＨＭ１が人体を模した形状を成すための情報を含んでいる。ここで、モデル情報Ｄ１は、例えば、頭部、胸部、腹部、脚部及び腕部等の部位ごとの情報、目、耳、鼻及び口等の器官ごとの情報を含んでいる。さらに、モデル情報Ｄ１は、骨、筋肉、血液及び皮膚等の組織ごとの情報を含んでいる。
【００４０】
さらに、ヒューマンモデルＨＭ１は、人体と同様又は人体を簡素化した形の骨格及び関節を有しており、人体と同様に、動作を行うことが可能である。そのため、ヒューマンモデルＨＭ１については、例えば、立位及び座位等の姿勢を指定したり、歩行、腕上げ、物品の把持等の動作（行動）を指定したりすることが可能である。これらのヒューマンモデルＨＭ１の姿勢及び動作等に関する情報も、モデル情報Ｄ１に含まれている。
【００４１】
また、本実施形態では、モデル情報Ｄ１は、ヒューマンモデルＨＭ１に固有の属性情報を含んでいる。属性情報は、ヒューマンモデルＨＭ１が模している「人」の年齢（又は年齢層）、性別、体型（肥満度等を含む）、趣味嗜好（暑がり／寒がり等を含む）、身長、体重、性別、障害の有無、障害の箇所、活動量（心拍数を含む）及び衣類レベル等を表す情報である。つまり、ヒューマンモデルＨＭ１は、その属性情報によって、一例として、２０代の「暑がり」の男性を模したモデル、６０代の「寒がり」の女性を模したモデルに分類され得る。例えば、年齢、性別及び体型等によれば、ヒューマンモデルＨＭ１の手が届く範囲、及び関節の可動域等が規定される。詳しくは「（３）動作」の欄で説明するが、評価部１３は、属性情報に応じてヒューマンモデルＨＭ１の状態の評価を変える。つまり、評価部１３の評価結果は、モデル情報Ｄ１の属性情報に応じて変化する。
【００４２】
環境生成部３は、環境情報Ｄ２を生成する。環境生成部３は、生成した環境情報Ｄ２を、評価システム１（第２取得部１２）に対して、定期的に、不定期に、又は評価システム１からの要求への応答として出力する。環境生成部３は、予め生成されている複数種類の環境情報Ｄ２の中から、任意の環境情報Ｄ２を選択して、評価システム１に出力してもよい。環境情報Ｄ２は、少なくとも仮想空間ＶＳ１が施設（ここではオフィス）の内部空間（室内空間）を模した形状を成すための情報を含んでいる。一例として、環境情報Ｄ２は、ＢＩＭ（Building Information Modeling）等の三次元データを含んでいる。ここで、環境情報Ｄ２は、例えば、床、壁及び天井等の部位ごとの情報、並びに属性及び材質等に関する情報を含んでいる。
【００４３】
さらに、環境情報Ｄ２は、仮想空間ＶＳ１に配置すべき仮想設備ＶＥ１〜ＶＥ３に関する情報を含んでいる。つまり、仮想空間ＶＳ１に相当する施設（ここではオフィス）に環境を調整する設備が設置（導入）されている場合、この設備に相当する仮想設備ＶＥ１〜ＶＥ３に関する情報が、環境情報Ｄ２に含まれる。仮想設備ＶＥ１〜ＶＥ３に関する情報は、仮想設備ＶＥ１〜ＶＥ３の種別（空調設備／照明設備等）、個数及び配置（仮想空間ＶＳ１における座標位置及び向き）等の情報である。環境情報Ｄ２について詳しくは、「（３）動作」の欄で説明する。
【００４４】
ところで、本実施形態では、モデル情報Ｄ１と環境情報Ｄ２との少なくとも一方は、時間経過に伴って変化する。すなわち、モデル生成部２で生成されるモデル情報Ｄ１と、環境生成部３で生成される環境情報Ｄ２と、の少なくとも一方は、静的な情報ではなく、動的な情報である。本実施形態では一例として、モデル情報Ｄ１と環境情報Ｄ２との両方が、時間経過に伴って変化する動的な情報であることと仮定する。モデル情報Ｄ１及び環境情報Ｄ２の各々の更新は、例えば、機械学習等を利用して、自動的に行われることが好ましい。一例として、環境情報Ｄ２については、仮想空間ＶＳ１に相当する施設（ここではオフィス）における日射量及び外気温等は、時々刻々と変化するので、この変化を追従するように、環境情報Ｄ２が変化することが好ましい。
【００４５】
データベース４は、主として評価部１３での評価に用いられる情報を格納する。一例として、データベース４は、施設（建物を含む）が人に及ぼす影響についての評価指数等の情報を、空気質（Air）、温度（Temp）、照明（Light）、及び音（Sound）の各々について格納している。これにより、データベース４は、評価システム１からの要求信号を受けると、要求信号に応じた照合結果を評価システム１に出力する。データベース４に格納されている情報は、モデル情報Ｄ１及び環境情報Ｄ２とは異なり、時間経過に伴って変化しない静的な情報である。
【００４６】
情報端末５は、１以上のプロセッサ及び１以上のメモリを有するコンピュータシステムを主構成とする。プロセッサは、メモリに記録されているプログラムを実行することにより、情報端末５の機能を実現する。プログラムは、予めメモリに記録されていてもよいし、メモリカードのような非一時的記録媒体に記録されて提供されたり、電気通信回線を通して提供されたりしてもよい。言い換えれば、上記プログラムは、コンピュータシステムを、情報端末５として機能させるためのプログラムである。
【００４７】
情報端末５は、ユーザインタフェース５１を含んでいる。本実施形態では一例として、情報端末５は、ユーザＵ１が所有するタブレット端末である。ユーザインタフェース５１は、ユーザＵ１の操作を受け付ける機能、及びユーザＵ１に情報を提示する機能を有している。本実施形態では、ユーザインタフェース５１は、タッチパネルディスプレイにて実現される。そのため、情報端末５は、タッチパネルディスプレイに表示される各画面上でのボタン等のオブジェクトの操作（タップ、スワイプ、ドラッグ等）を検出することをもって、ボタン等のオブジェクトが操作されたことと判断する。つまり、情報端末５は、タッチパネルディスプレイに含まれる、例えば、液晶ディスプレイ、有機ＥＬ（Electro Luminescence）ディスプレイ等に、画面を表示する。
【００４８】
表示装置６は、例えば、液晶ディスプレイ、有機ＥＬディスプレイ等の画像表示装置により実現される。本実施形態では一例として、表示装置６は、ユーザＵ１が頭部に装着して使用するヘッドマウントディスプレイ（ＨＭＤ：Head Mounted Display）である。これにより、上述したように、提示部１４が拡張現実表示を行うに際して、ユーザＵ１の目に映る現実空間に、ヒューマンモデルＨＭ１を重ねて表示することが可能である。
【００４９】
（３）動作
次に、本実施形態に係る評価システム１の動作、つまり本実施形態に係る評価方法について説明する。
【００５０】
（３．１）基本動作
図３は、評価システム１の動作の一例を示すフローチャートである。
【００５１】
すなわち、評価システム１は、まずは第１取得部１１にてモデル生成部２からモデル情報Ｄ１を取得し（Ｓ１）、第２取得部１２にて環境生成部３から環境情報Ｄ２を取得する（Ｓ２）。
【００５２】
次に、評価システム１は、仮想設備ＶＥ１〜ＶＥ３の変更（移動、追加及び消去を含む）の有無を判断する（Ｓ３）。つまり、評価システム１が環境生成部３から取得した環境情報Ｄ２には、仮想設備ＶＥ１〜ＶＥ３に関する情報が含まれているが、評価システム１においては、例えば、ユーザＵ１の操作に従って、仮想設備ＶＥ１〜ＶＥ３の変更が可能である。一例として、ユーザＵ１は、情報端末５のユーザインタフェース５１を用いて、例えば、ブラウザ画面上で、仮想設備ＶＥ１〜ＶＥ３の変更のための操作をすることで、仮想設備ＶＥ１〜ＶＥ３を変更することが可能である。仮想設備ＶＥ１〜ＶＥ３の変更のための操作がされると、この操作に応じた入力信号を受けて、評価システム１は、仮想設備ＶＥ１〜ＶＥ３の変更あり（Ｓ３：Ｙｅｓ）と判断する。
【００５３】
仮想設備ＶＥ１〜ＶＥ３の変更があれば（Ｓ３：Ｙｅｓ）、評価システム１は、調整部１５にて、仮想設備ＶＥ１〜ＶＥ３の仮想空間ＶＳ１における個数及び配置の少なくとも一方を調整した上で、環境情報Ｄ２の更新を行う（Ｓ４）。つまり、更新後の環境情報Ｄ２は、環境生成部３から取得した環境情報Ｄ２をベースにして、仮想設備ＶＥ１〜ＶＥ３の個数及び配置の少なくとも一方が変更された情報である。一方、仮想設備ＶＥ１〜ＶＥ３の変更が無ければ（Ｓ３：Ｎｏ）、処理Ｓ４はスキップする。
【００５４】
次に、評価システム１は、評価部１３にて、モデル情報Ｄ１と環境情報Ｄ２とに基づいて、ヒューマンモデルＨＭ１の状態を評価するための処理Ｓ５〜Ｓ７を実行する。具体的には、評価システム１は、環境情報Ｄ２に基づいて仮想空間ＶＳ１を形成し、かつモデル情報Ｄ１に基づいて仮想空間ＶＳ１内にヒューマンモデルＨＭ１を配置する。そして、モデル情報Ｄ１及び環境情報Ｄ２の両方に基づいて、仮想空間ＶＳ１の環境が仮想空間ＶＳ１に設置したヒューマンモデルＨＭ１に及ぼす特定の作用を演算する（Ｓ５）。このとき、ヒューマンモデルＨＭ１に特定の作用を及ぼす環境が「温度」であるとすれば、評価部１３は、例えば、ヒューマンモデルＨＭ１の部位ごとに皮膚の温度に相当する指標値を演算する。
【００５５】
評価システム１は、処理Ｓ５の演算結果を用いて、データベース４に問い合わせを行う（Ｓ６）。このとき、データベース４では、評価システム１からの要求信号を受け、少なくとも処理Ｓ５の演算結果を用いて、要求信号に応じた照合結果を評価システム１に出力する。ヒューマンモデルＨＭ１に特定の作用を及ぼす環境が「温度」であるとすれば、データベース４から評価システム１に対して、ヒューマンモデルＨＭ１の部位ごとに温度に応じた快適性を表す評価値が出力される。
【００５６】
そして、評価システム１は、データベースからの照合結果（評価値を含む）に基づいて、ヒューマンモデルＨＭ１の状態の評価を行う（Ｓ７）。本実施形態では、「快適性」を、ヒューマンモデルＨＭ１の状態として評価の対象とするので、このとき、評価部１３は、ヒューマンモデルＨＭ１の部位ごとの快適性を表す評価値を算出する。
【００５７】
ヒューマンモデルＨＭ１の状態の評価が完了すると、評価システム１は、提示部１４にて、評価結果を表示装置６に表示することによって、ユーザＵ１への評価結果の提示を行う（Ｓ８）。
【００５８】
図３のフローチャートは、評価システム１の動作の一例に過ぎず、処理を適宜省略又は追加してもよいし、処理の順番が適宜変更されていてもよい。例えば、第１取得部１１にてモデル生成部２からモデル情報Ｄ１を取得する処理（Ｓ１）と、第２取得部１２にて環境生成部３から環境情報Ｄ２を取得する処理（Ｓ２）とは、順番が逆であってもよい。
【００５９】
（３．２）第１の具体動作例
次に、ヒューマンモデルＨＭ１に特定の作用を及ぼす環境が「温度」である場合を例として、評価システム１の具体動作例について、図４を参照して説明する。図４は、仮想空間ＶＳ１を模式的に表す概念図である。図４の例では、仮想空間ＶＳ１の中央付近のある座標位置に、立位のヒューマンモデルＨＭ１が配置されている。また、図４の例では、空調設備に相当する仮想設備ＶＥ１と、窓（換気窓、採光窓）に相当する仮想設備ＶＥ２と、それぞれ照明装置に相当する２個の仮想設備ＶＥ３と、が仮想空間ＶＳ１に設置されている。
【００６０】
ここにおいて、評価部１３での評価に用いられる環境情報Ｄ２は、仮想空間ＶＳ１においてヒューマンモデルＨＭ１の周辺に設定される周辺エリアＡ１の環境に関する情報を含んでいる。ここでいう周辺エリアＡ１は、ヒューマンモデルＨＭ１の周辺に設定されていればよく、一例として、実空間換算でヒューマンモデルＨＭ１の表面（皮膚に相当）から数十ｃｍ程度の範囲に設定される。本実施形態では一例として、周辺エリアＡ１は、ヒューマンモデルＨＭ１の全体を覆うように、ヒューマンモデルＨＭ１の表面形状に沿って設定されている。
【００６１】
すなわち、人に特定の作用を及ぼす「温度」の中でも、特に支配的になるのは、人の周辺の空間の温度である。そのため、ヒューマンモデルＨＭ１に特定の作用を及ぼす「温度」としても、周辺エリアＡ１の温度に着目して、人に及ぼす作用を求めることが好ましい。本実施形態では、周辺エリアＡ１の環境（温度）に関する情報を、例えば、以下のようにして求める。
【００６２】
まず、周辺エリアＡ１の位置は、仮想空間ＶＳ１におけるヒューマンモデルＨＭ１の位置の情報から特定可能である。つまり、仮想空間ＶＳ１のある座標位置に、周辺エリアＡ１が設定される。
【００６３】
図４に示すように、仮想空間ＶＳ１には、複数の仮想設備ＶＥ１〜ＶＥ３が存在するため、仮想空間ＶＳ１内の各位置での温度は、これら仮想設備ＶＥ１〜ＶＥ３の影響を受ける。例えば、空調設備に相当する仮想設備ＶＥ１は、温風を出力することで熱Ｑ１を放出する。また、採光窓として機能する窓に相当する仮想設備ＶＥ２は、太陽光（日光）に相当する放射による熱Ｑ２を仮想空間ＶＳ１に取り込む。さらに、窓に相当する仮想設備ＶＥ２は、換気窓としても機能するので、換気又は対流による熱Ｑ３の移動（仮想空間ＶＳ１と外部との間の熱交換）を実現する。また、照明設備に相当する仮想設備ＶＥ３は、点灯時に熱Ｑ４を放出する。このように、「温度」という環境を決定する主たる要素としては、熱源となる設備機器（空調設備、照明設備及びその他の電気機器を含む）から放出される熱Ｑ１，Ｑ４、太陽光等の放射熱に当たる熱Ｑ２、及び換気又は対流等に起因した熱Ｑ３の移動等がある。さらには、熱伝導により壁又は窓等を通過する熱の移動、仮想空間ＶＳ１内での対流による熱の移動、及び蒸発等による熱の移動等も、仮想空間ＶＳ１の「温度」という環境を決定し得る。
【００６４】
また、人体も熱を放出するので、ヒューマンモデルＨＭ１についても同様に、ヒューマンモデルＨＭ１から発せられる熱を加味することが好ましい。本実施形態では、上述したように、環境情報Ｄ２は、ヒューマンモデルＨＭ１から発せられる要素（例えば熱）に起因する環境に関する情報を含んでいる。言い換えれば、ヒューマンモデルＨＭ１から発せられる熱についても、周辺エリアＡ１の環境（温度）を求めるために加味される。ヒューマンモデルＨＭ１から発せられる熱量は、モデル情報Ｄ１に含まれる属性情報から、精度よく求めることが可能である。例えば、ヒューマンモデルＨＭ１の活動量（身体活動レベル）が大きくなると、ヒューマンモデルＨＭ１から発する代謝熱の熱量が大きくなる。さらに、衣類は断熱又は遮熱効果を発揮し得るので、例えば、衣類レベルが大きいほど、つまりヒューマンモデルＨＭ１が着ている衣類の断熱効果が高くなるほど、ヒューマンモデルＨＭ１から発せられる熱量は小さくなる。
【００６５】
よって、周辺エリアＡ１において、外側（仮想空間ＶＳ１側）領域との間で移動する熱量と、内側（ヒューマンモデルＨＭ１側）領域との間で移動する熱量と、を合成することにより、周辺エリアＡ１に出入りする熱量が求まる。その結果、評価部１３では、周辺エリアＡ１の環境（温度）を、算出することが可能である。そして、評価部１３は、このように求まる周辺エリアＡ１の温度を、ヒューマンモデルＨＭ１の部位ごとに皮膚の温度に相当する指標値として演算する。
【００６６】
評価部１３は、ヒューマンモデルＨＭ１の部位ごとに皮膚の温度に相当する指標値から、ヒューマンモデルＨＭ１の状態としての「快適性」を評価する。このとき、基本的には、周辺エリアＡ１の温度が、ヒューマンモデルＨＭ１の部位ごとに決められている適正温度に近づくほどに、快適性を表す快適度は高く（つまり「快適」に近く）なる。一方、周辺エリアＡ１の温度が、ヒューマンモデルＨＭ１の部位ごとに決められている適正温度から離れるほどに、快適性を表す快適度は低く（つまり「不快」に近く）なる。
【００６７】
このようにして求まる評価結果（快適度）は、モデル情報Ｄ１に含まれる属性情報（活動量、衣類レベル等）によっても変化する。言い換えれば、評価部１３は、モデル情報Ｄ１に含まれる属性情報に応じて、ヒューマンモデルＨＭ１の状態の評価を変えることになる。
【００６８】
また、温度に基づく快適性を評価するに当たっては、熱的快適性に影響する以下の要因を考慮することも好ましい。熱的快適性に影響する要因の例としては、大気熱、平均放射温度、風速、及び湿度等がある。大気熱（気温）は、上述したように、仮想空間ＶＳ１における周辺エリアＡ１の温度を求めることで推定可能である。平均放射温度は、仮想空間ＶＳ１における室内の全ての露出面の加重平均温度を算出することで推定可能である。風速（又は気流）は、仮想空間ＶＳ１における室内の空気の移動の速度及び方向を定量化することで推定可能である。湿度（又は相対湿度）は、仮想空間ＶＳ１における水分量を算出することで推定可能である。さらには、上述したヒューマンモデルＨＭ１の活動量（身体活動レベル）及び衣類レベルについても、熱的快適性に影響し得る。
【００６９】
よって、評価システム１では、大気熱に加えて、平均放射温度、風速、湿度、活動量及び衣類レベルのうち、少なくとも１つの情報を組み合わせて用いることにより、評価部１３での、ヒューマンモデルＨＭ１の快適性の評価の精度の向上を図ることができる。ここで、活動量及び衣類レベルを用いた場合にも、評価部１３は、モデル情報Ｄ１に含まれる属性情報に応じて、ヒューマンモデルＨＭ１の状態の評価を変えることになる。
【００７０】
（３．３）提示例
次に、ヒューマンモデルＨＭ１に特定の作用を及ぼす環境が「温度」である場合を例として、提示部１４による提示の態様の具体例について、図５を参照して説明する。図５は、現実空間ＲＳ１を模式的に表す概念図である。図５の例では、現実空間ＲＳ１の中央付近に、ユーザＵ１が立っている。さらに、図５の例では、仮想空間ＶＳ１の壁際に、座位のヒューマンモデルＨＭ１が配置されている。また、図５の例では、現実空間ＲＳ１に実際に設置されている空調設備とは別に、空調設備に相当する仮想設備ＶＥ１が仮想空間ＶＳ１に設置されている。また、図５の例では、現実空間ＲＳ１内に、ヒューマンモデルＨＭ１及び仮想設備ＶＥ１を想像線（２点鎖線）で示しているが、これらは説明のために表記しているに過ぎず、ヒューマンモデルＨＭ１及び仮想設備ＶＥ１は現実空間ＲＳ１に実在しない。また、図５の例では、ユーザＵ１の目に映る映像を吹出し内に示している。
【００７１】
本実施形態では、上述したように、提示部１４は、評価部１３の評価結果を、表示装置６に表示することによってユーザＵ１に提示する。ここで、図５の吹出し内に示すように、提示部１４は、評価部１３の評価結果を表し、かつヒューマンモデルＨＭ１を含む提示画面Ｉｍ１を表示装置６に表示する。本実施形態では、表示装置６は、ユーザＵ１が頭部に装着して使用するヘッドマウントディスプレイであるので、ユーザＵ１の目線（吹出し内）では、現実空間ＲＳ１にヒューマンモデルＨＭ１を重ねて表示することが可能である。これにより、ユーザＵ１から見ると、現実空間ＲＳ１に重ねてヒューマンモデルＨＭ１が表示される、拡張現実表示にて提示画面Ｉｍ１の表示が行われる。
【００７２】
このように、提示部１４に表示される提示画面Ｉｍ１は、ユーザＵ１の目に映る現実空間ＲＳ１に、ヒューマンモデルＨＭ１を重ねて表示する拡張現実領域Ｒ１を含んでいる。その結果、ユーザＵ１は、現実空間ＲＳ１に実在する人のように、ヒューマンモデルＨＭ１を視認することができ、評価システム１は、ヒューマンモデルＨＭ１の状態の評価結果をよりリアルにユーザＵ１に提示できる。
【００７３】
さらに、図５の例では、拡張現実領域Ｒ１には、ヒューマンモデルＨＭ１に加えて、仮想設備ＶＥ１、及び仮想設備ＶＥ１から放出される熱Ｑ１（温風）が表示されている。これにより、ユーザＵ１は、仮想設備ＶＥ１に相当する設備（ここでは空調設備）を、現実空間ＲＳ１に実際に設置した場合の効果を、視覚的に確認することが可能である。
【００７４】
また、本実施形態では、提示部１４は、評価部１３の評価結果（ここでは快適度）に応じて提示画面Ｉｍ１におけるヒューマンモデルＨＭ１の表示態様を変化させている。図５の例では、ヒューマンモデルＨＭ１のうち、仮想設備ＶＥ１から放出される熱Ｑ１が直接的に当たる部位Ｃ１の温度が適正温度を大きく上回っているため、その部位Ｃ１の快適度が他の部位に比べて低い。このような評価結果により、図５の例では、ヒューマンモデルＨＭ１のうち仮想設備ＶＥ１から放出される熱Ｑ１が直接的に当たる部位Ｃ１（左肩周辺）にあっては、他の部位と表示色が異なっている。このように、提示画面Ｉｍ１におけるヒューマンモデルＨＭ１の表示態様が、評価部１３の評価結果に応じて変化することで、ユーザＵ１は、評価部１３の評価結果を捉えやすくなる。
【００７５】
（３．４）第２の具体動作例
次に、ヒューマンモデルＨＭ１に特定の作用を及ぼす環境が「照明」である場合を例として、評価システム１の具体動作例について、図６を参照して説明する。図６は、仮想空間ＶＳ１を模式的に表す概念図である。図６の例では、仮想空間ＶＳ１の中央付近のある座標位置に、立位のヒューマンモデルＨＭ１が配置されている。また、図６の例では、空調設備に相当する仮想設備ＶＥ１と、窓（換気窓、採光窓）に相当する仮想設備ＶＥ２と、それぞれ照明装置に相当する２個の仮想設備ＶＥ３と、が仮想空間ＶＳ１に設置されている。また、図６の例では、ヒューマンモデルＨＭ１の視野（視界）に相当する視野エリアＡ２を吹出し内に示している。
【００７６】
人に特定の作用を及ぼす「照明」の中でも、特に支配的になるのは、人の視野内の明るさ（照度）及び光色である。そのため、ヒューマンモデルＨＭ１に特定の作用を及ぼす「照明」としても、ヒューマンモデルＨＭ１の視野（視野エリアＡ２）の明るさ（照度）及び光色に着目して、人に及ぼす作用を求めることが好ましい。本実施形態では、ヒューマンモデルＨＭ１の視野に相当する視野エリアＡ２の環境（照明）に関する情報を、例えば、以下のようにして求める。
【００７７】
まず、ヒューマンモデルＨＭ１の視野に相当する視野エリアＡ２は、仮想空間ＶＳ１におけるヒューマンモデルＨＭ１の位置、及びヒューマンモデルＨＭ１の頭部の向きの情報から特定可能である。つまり、仮想空間ＶＳ１のある座標位置を起点とした、ある方向の領域が、視野エリアＡ２と推定される。
【００７８】
図６に示すように、仮想空間ＶＳ１には、照明装置に相当する２個の仮想設備ＶＥ３が存在するため、仮想空間ＶＳ１内の各位置での明るさ（照度）及び光色は、少なくとも２個の仮想設備ＶＥ３の影響を受ける。つまり、各仮想設備ＶＥ３は、点灯することによって光Ｌ１を出力する。２個の仮想設備ＶＥ３のうち、仮想設備ＶＥ２に近い側の仮想設備ＶＥ３にあっては、視野エリアＡ２内の机上に光Ｌ１を照射する。また、図６の例では、採光窓として機能する窓に相当する仮想設備ＶＥ２についても、太陽光（日光）を取り込むという点で、仮想空間ＶＳ１内に光を出力する。さらには、壁、床又は天井等での光の反射又は吸収、及び物体での物体の遮蔽によって生じる影等も、仮想空間ＶＳ１の「照明」という環境を決定し得る。
【００７９】
上記より、評価部１３では、視野エリアＡ２における明るさ（照度）及び光色を、指標値として算出することが可能である。評価部１３は、視野エリアＡ２における明るさ（照度）及び光色に相当する指標値から、ヒューマンモデルＨＭ１の状態としての「快適性」を評価する。
【００８０】
このとき、基本的には、視野エリアＡ２の明るさが、適正照度に近づくほどに、快適性を表す快適度は高く（つまり「快適」に近く）なる。一方、視野エリアＡ２の明るさが、適正照度から離れるほどに、快適性を表す快適度は低く（つまり「不快」に近く）なる。適正照度は、例えば、仮想空間ＶＳ１が模している施設の用途によって適宜決定されることが好ましい。一例として、オフィスであれば適正照度は比較的高く、レストラン等の店舗であれば適正照度は比較的低く設定される。
【００８１】
同様に、視野エリアＡ２の光色が、適正色温度に近づくほどに、快適性を表す快適度は高く（つまり「快適」に近く）なる。一方、視野エリアＡ２の明るさが、適正色温度から離れるほどに、快適性を表す快適度は低く（つまり「不快」に近く）なる。適正色温度は、例えば、仮想空間ＶＳ１が模している施設の用途によって適宜決定されることが好ましい。一例として、オフィスであれば適正色温度は比較的高く、レストラン等の店舗であれば適正色温度は比較的低く設定される。
【００８２】
（４）変形例
実施形態１は、本開示の様々な実施形態の一つに過ぎない。実施形態１は、本開示の目的を達成できれば、設計等に応じて種々の変更が可能である。本開示において説明する各図は、模式的な図であり、各図中の各構成要素の大きさ及び厚さそれぞれの比が、必ずしも実際の寸法比を反映しているとは限らない。また、実施形態１に係る評価システム１と同様の機能は、評価方法、コンピュータプログラム、又はコンピュータプログラムを記録した非一時的記録媒体等で具現化されてもよい。一態様に係る評価方法は、第１取得ステップ（図３の「Ｓ１」に相当）と、第２取得ステップ（図３の「Ｓ２」に相当）と、評価ステップ（図３の「Ｓ５〜Ｓ７」に相当）と、を有する。第１取得ステップは、モデル情報Ｄ１を取得するステップである。モデル情報Ｄ１は、仮想空間ＶＳ１に配置される人のモデルデータからなるヒューマンモデルＨＭ１に関する情報である。第２取得ステップは、環境情報Ｄ２を取得するステップである。環境情報Ｄ２は、仮想空間ＶＳ１に対応付けられておりヒューマンモデルＨＭ１に対して特定の作用を及ぼし得る環境に関する情報である。評価ステップは、モデル情報Ｄ１と環境情報Ｄ２とに基づいて、ヒューマンモデルＨＭ１の状態を評価するステップである。一態様に係る（コンピュータ）プログラムは、上記の評価方法を、１以上のプロセッサに実行させるためのプログラムである。
【００８３】
以下、実施形態１の変形例を列挙する。以下に説明する変形例は、適宜組み合わせて適用可能である。
【００８４】
本開示における評価システム１は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における評価システム１としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【００８５】
また、評価システム１の少なくとも一部の機能が、１つの筐体内に集約されていることは評価システム１に必須の構成ではなく、評価システム１の構成要素は、複数の筐体に分散して設けられていてもよい。例えば、評価システム１のうちの第１取得部１１及び第２取得部１２は、評価部１３とは別の筐体に設けられていてもよい。さらに、評価システム１の少なくとも一部の機能、例えば、評価部１３の機能がクラウド（クラウドコンピューティング）等によって実現されてもよい。
【００８６】
反対に、実施形態１において、複数の装置に分散されている少なくとも一部の機能が、１つの筐体内に集約されていてもよい。例えば、評価システム１とデータベース４とに分散されている機能が、１つの筐体内に集約されていてもよい。
【００８７】
実施形態１では、評価システム１は、モデル生成部２、環境生成部３、データベース４、情報端末５及び表示装置６を構成要素に含まない。ただし、モデル生成部２、環境生成部３、データベース４、情報端末５及び表示装置６の少なくとも１つは、評価システム１の構成要素に含まれていてもよい。一例として、評価システム１は、モデル生成部２及び環境生成部３を含んでいてもよい。
【００８８】
また、入力部１７は、ユーザＵ１の操作に応じた入力信号の入力を受け付ける構成であればよく、情報端末５で発生する入力信号の入力を受け付けることは必須でない。例えば、入力部１７は、タッチパネルディスプレイ、キーボード、ポインティングデバイス又は音声入力等の入力デバイスから、入力信号の入力を受け付けてもよい。
【００８９】
また、環境情報Ｄ２は、ヒューマンモデルＨＭ１に対して作用を及ぼし得る温度及び照明に限らず、温度及び照明の少なくとも一方に加えて又は代えて、音（機械の動作音、音声及び騒音等を含む）、匂い、空気質等のうちの１以上の要素を含んでもよい。例えば、環境情報Ｄ２が、ヒューマンモデルＨＭ１に対して作用を及ぼし得る「音」に関する情報を含む場合、仮想設備ＶＥ１〜ＶＥ３の一例として、「音」を調整（発生を含む）するテレビ受像機、スピーカ等に相当する設備がある。
【００９０】
また、実施形態１では、モデル情報Ｄ１と環境情報Ｄ２との両方が、時間経過に伴って変化する動的な情報である場合について説明したが、モデル情報Ｄ１と環境情報Ｄ２とのいずれか一方は、時間経過に伴って変化しない静的な情報であってもよい。さらに、モデル情報Ｄ１と環境情報Ｄ２との両方が、時間経過に伴って変化しない静的な情報であってもよい。
【００９１】
また、評価部１３の評価結果は、提示部１４によってユーザＵ１に提示される構成に限らず、ユーザＵ１への提示以外の態様で出力されてもよい。ユーザＵ１への提示以外の出力の態様としては、例えば、通信による出力（ログデータとしての出力を含む）、非一時的記録媒体への書き出し、及びプリントアウト等の手段がある。
【００９２】
また、提示部１４によるユーザＵ１への提示の態様についても、表示に限らず、例えば、情報端末５への送信、音（音声及びアラーム音等を含む）、光出力（点滅等を含む）及びプリントアウト等の手段がある。
【００９３】
また、提示部１４が表示する提示画面Ｉｍ１は、拡張現実領域Ｒ１を含んでいればよく、拡張現実領域Ｒ１以外の表示領域を更に含んでいてもよい。つまり、提示画面Ｉｍ１は、拡張現実表示をするための拡張現実領域Ｒ１と、拡張現実表示ではない通常の表示を行うための領域と、を含んでいてもよい。
【００９４】
また、実施形態１では、表示装置６はヘッドマウントディスプレイであるが、この例に限らず、表示装置６は、例えば、スマートフォン又はタブレット端末であってもよい。この場合でも、例えば、表示装置６のカメラで現実空間ＲＳ１を撮像し、得られた現実空間ＲＳ１の画像にヒューマンモデルＨＭ１を重ねることで、拡張現実表示を実現してもよい。すなわち、提示画面Ｉｍ１は、ユーザＵ１の目に映る現実空間ＲＳ１又は現実空間ＲＳ１の「画像」に、ヒューマンモデルＨＭ１を重ねて表示する拡張現実領域Ｒ１を含んでいればよい。さらに、提示画面Ｉｍ１は、拡張現実領域Ｒ１を含まなくてもよい。
【００９５】
（実施形態２）
本実施形態に係る評価システム１は、図７に示すように、仮想空間ＶＳ１に複数のヒューマンモデルＨＭ１，ＨＭ２が配置される点で、実施形態１に係る評価システム１と相違する。以下、実施形態１と同様の構成については共通の符号を付して適宜説明を省略する。
【００９６】
すなわち、実施形態１では、仮想空間ＶＳ１に１つのヒューマンモデルＨＭ１が配置されるのに対し、本実施形態では、仮想空間ＶＳ１にはヒューマンモデルＨＭ１，ＨＭ２が複数配置されている。さらに、本実施形態では、第１取得部１１は、複数のヒューマンモデルＨＭ１，ＨＭ２の各々についてモデル情報Ｄ１を取得可能に構成されている。
【００９７】
図７の例では、仮想空間ＶＳ１には２つのヒューマンモデルＨＭ１，ＨＭ２が配置されている。一方のヒューマンモデルＨＭ１は、仮想空間ＶＳ１の中央付近のある座標位置に立位で配置されている。他方のヒューマンモデルＨＭ２は、仮想空間ＶＳ１の壁際に、座位にて配置されている。
【００９８】
本実施形態に係る評価システム１では、このような立位のヒューマンモデルＨＭ１と、座位のヒューマンモデルＨＭ２と、の各々について、第１取得部１１にて、モデル情報Ｄ１を取得可能である。そして、評価システム１は、このような複数のヒューマンモデルＨＭ１，ＨＭ２の各々について、個別に取得したモデル情報Ｄ１と環境情報Ｄ２とに基づいて、評価部１３にて、その状態（例えば快適性）を評価する。この場合の評価結果は、複数のヒューマンモデルＨＭ１，ＨＭ２の各々について、区別可能に提示されることが好ましい。
【００９９】
ここで、環境情報Ｄ２は、複数のヒューマンモデルＨＭ１，ＨＭ２のうちの１つのヒューマンモデルからなる第１モデルに対して特定の作用を及ぼし得る環境に関する情報として、相互情報を含む。相互情報は、複数のヒューマンモデルＨＭ１，ＨＭ２のうちの第１モデル以外の少なくとも１つのヒューマンモデルＨＭ１，ＨＭ２に関連する情報である。例えば、複数のヒューマンモデルＨＭ１，ＨＭ２のうちの１つのヒューマンモデルＨＭ１を第１モデルと仮定する。この場合、第１モデル（ヒューマンモデルＨＭ１）に対して特定の作用を及ぼし得る環境に関する情報として、第１モデル以外のヒューマンモデルＨＭ２に関連する相互情報が、環境情報Ｄ２に含まれる。
【０１００】
すなわち、例えば、１つの空間に複数の人が存在する場合には、例えば、温度、照明、音、匂い及び空気質等の種々の環境の要素に関して、複数の人が相互に作用を及ぼし得る。そこで、環境情報Ｄ２が、第１モデル（ヒューマンモデルＨＭ１）に対して特定の作用を及ぼし得る情報として、第１モデル以外のヒューマンモデルＨＭ２に関連する相互情報を含むことで、このような相互作用を再現する。一例として、ヒューマンモデルＨＭ１，ＨＭ２に特定の作用を及ぼす環境が「温度」である場合、ヒューマンモデルＨＭ２から発せられる熱は、第１モデル（ヒューマンモデルＨＭ１）に対して特定の作用を及ぼし得る。そこで、第１モデル以外のヒューマンモデルＨＭ２に関連する相互情報を、第１モデル（ヒューマンモデルＨＭ１）の評価に用いられる環境情報Ｄ２に含めることで、ヒューマンモデルＨＭ１，ＨＭ２同士の相互作用を、評価部１３での評価に含めることができる。
【０１０１】
これにより、例えば、評価システム１が、ヒューマンモデルＨＭ１，ＨＭ２の状態として快適性を評価する場合において、複数の人が密集することによって人が感じる快適度の低下を、評価結果に反映することができる。
【０１０２】
上記説明では、ヒューマンモデルＨＭ１を第１モデルと仮定したが、ヒューマンモデルＨＭ２を第１モデルとしてもよい。この場合、第１モデル（ヒューマンモデルＨＭ２）に対して特定の作用を及ぼし得る環境に関する情報として、第１モデル以外のヒューマンモデルＨＭ１に関連する相互情報が、環境情報Ｄ２に含まれる。
【０１０３】
また、実施形態２に係る評価システム１において、環境情報Ｄ２が相互情報を含むことは必須の構成ではなく、環境情報Ｄ２は相互情報を含まなくてもよい。
【０１０４】
また、実施形態２において、仮想空間ＶＳ１には複数のヒューマンモデルＨＭ１，ＨＭ２が配置されていればよいので、仮想空間ＶＳ１には、例えば、３つ以上のヒューマンモデルＨＭ１が配置されてもよい。
【０１０５】
実施形態２で説明した種々の構成（変形例を含む）は、実施形態１で説明した種々の構成（変形例を含む）と適宜組み合わせて採用可能である。
【０１０６】
（まとめ）
以上説明したように、第１の態様に係る評価システム（１）は、第１取得部（１１）と、第２取得部（１２）と、評価部（１３）と、を備える。第１取得部（１１）は、モデル情報（Ｄ１）を取得する。モデル情報（Ｄ１）は、仮想空間（ＶＳ１）に配置されるヒューマンモデル（ＨＭ１，ＨＭ２）に関する情報である。ヒューマンモデル（ＨＭ１，ＨＭ２）は、人のモデルデータからなる。第２取得部（１２）は、環境情報（Ｄ２）を取得する。環境情報（Ｄ２）は、仮想空間（ＶＳ１）に対応付けられておりヒューマンモデル（ＨＭ１，ＨＭ２）に対して特定の作用を及ぼし得る環境に関する情報である。評価部（１３）は、モデル情報（Ｄ１）と環境情報（Ｄ２）とに基づいて、ヒューマンモデル（ＨＭ１，ＨＭ２）の状態を評価する。
【０１０７】
この態様によれば、ヒューマンモデル（ＨＭ１，ＨＭ２）の状態の評価に、仮想空間（ＶＳ１）に対応付けられておりヒューマンモデル（ＨＭ１，ＨＭ２）に対して特定の作用を及ぼし得る環境が反映される。例えば、現実空間（ＲＳ１）においては、温度（熱）及び照明（光）といった様々な環境が、現実空間（ＲＳ１）に実在する人に対して特定の作用を及ぼす。そして、環境が人に及ぼす作用により、例えば、人の快適性等が変化する。評価システム（１）では、このような環境を加味した評価を、ヒューマンモデル（ＨＭ１，ＨＭ２）が配置される仮想空間（ＶＳ１）においても適用することで、現実の「人」により近い形で、ヒューマンモデル（ＨＭ１，ＨＭ２）の状態を評価できる。結果的に、ヒューマンモデル（ＨＭ１，ＨＭ２）の状態の評価の精度の向上を図ることが可能である、という利点がある。
【０１０８】
第２の態様に係る評価システム（１）では、第１の態様において、モデル情報（Ｄ１）と環境情報（Ｄ２）との少なくとも一方は、時間経過に伴って変化する。
【０１０９】
この態様によれば、時間経過に伴って変化する動的な情報を、ヒューマンモデル（ＨＭ１，ＨＭ２）の状態を評価できる。
【０１１０】
第３の態様に係る評価システム（１）は、第１又は２の態様において、提示部（１４）を更に備える。提示部（１４）は、評価部（１３）の評価結果をユーザ（Ｕ１）に提示する。
【０１１１】
この態様によれば、ユーザ（Ｕ１）は、評価結果を、例えば、施設の設計、施設のリフォーム、施設の評価、建築業界のマーケティング、並びに技術調査及び技術開発等に利用可能である。
【０１１２】
第４の態様に係る評価システム（１）では、第３の態様において、提示部（１４）は、評価部（１３）の評価結果を表し、かつヒューマンモデル（ＨＭ１，ＨＭ２）を含む提示画面（Ｉｍ１）を表示することで、評価部（１３）の評価結果を提示する。提示部（１４）は、評価部（１３）の評価結果に応じて提示画面（Ｉｍ１）におけるヒューマンモデル（ＨＭ１，ＨＭ２）の表示態様を変化させる。
【０１１３】
この態様によれば、ユーザ（Ｕ１）は、ヒューマンモデル（ＨＭ１，ＨＭ２）の状態の評価結果を、ヒューマンモデル（ＨＭ１，ＨＭ２）の表示態様から視覚的に理解しやすくなる。
【０１１４】
第５の態様に係る評価システム（１）では、第４の態様において、提示画面（Ｉｍ１）は、拡張現実領域（Ｒ１）を含む。拡張現実領域（Ｒ１）は、ユーザ（Ｕ１）の目に映る現実空間（ＲＳ１）又は現実空間（ＲＳ１）の画像に、ヒューマンモデル（ＨＭ１，ＨＭ２）を重ねて表示する領域である。
【０１１５】
この態様によれば、ユーザ（Ｕ１）は、現実空間（ＲＳ１）に実在する人のように、ヒューマンモデル（ＨＭ１，ＨＭ２）を視認することができる。よって、評価システム（１）は、ヒューマンモデル（ＨＭ１，ＨＭ２）の状態の評価結果をよりリアルにユーザ（Ｕ１）に提示できる。
【０１１６】
第６の態様に係る評価システム（１）では、第１〜５のいずれかの態様において、仮想空間（ＶＳ１）にはヒューマンモデル（ＨＭ１，ＨＭ２）が複数配置される。第１取得部（１１）は、複数のヒューマンモデル（ＨＭ１，ＨＭ２）の各々についてモデル情報（Ｄ１）を取得可能である。
【０１１７】
この態様によれば、複数のヒューマンモデル（ＨＭ１，ＨＭ２）について、まとめて状態の評価を行うことができる。
【０１１８】
第７の態様に係る評価システム（１）では、第６の態様において、環境情報（Ｄ２）は、第１モデルに対して特定の作用を及ぼし得る環境に関する情報として、相互情報を含む。第１モデルは、複数のヒューマンモデル（ＨＭ１，ＨＭ２）のうちの１つのヒューマンモデル（ＨＭ１，ＨＭ２）からなる。相互情報は、複数のヒューマンモデル（ＨＭ１，ＨＭ２）のうちの第１モデル以外の少なくとも１つのヒューマンモデル（ＨＭ１，ＨＭ２）に関連する情報である。
【０１１９】
この態様によれば、１つの空間に複数の人が存在する場合に起こり得る人同士の相互作用を、ヒューマンモデル（ＨＭ１，ＨＭ２）の状態の評価においても再現することができる。
【０１２０】
第８の態様に係る評価システム（１）では、第１〜７のいずれかの態様において、モデル情報（Ｄ１）は、ヒューマンモデル（ＨＭ１，ＨＭ２）に固有の属性情報を含む。評価部（１３）は、属性情報に応じてヒューマンモデル（ＨＭ１，ＨＭ２）の状態の評価を変える。
【０１２１】
この態様によれば、人の年齢、性別、体型、趣味嗜好、身長、体重、性別、障害の有無、障害の箇所、活動量及び衣類レベル等の人に固有の条件を、ヒューマンモデル（ＨＭ１，ＨＭ２）の状態の評価に反映できる。
【０１２２】
第９の態様に係る評価システム（１）では、第１〜７のいずれかの態様において、環境情報（Ｄ２）は、仮想空間（ＶＳ１）においてヒューマンモデル（ＨＭ１，ＨＭ２）の周辺に設定される周辺エリア（Ａ１）の環境に関する情報を含む。
【０１２３】
この態様によれば、ヒューマンモデル（ＨＭ１，ＨＭ２）への影響の大きい周辺エリア（Ａ１）の環境を、ヒューマンモデル（ＨＭ１，ＨＭ２）の状態の評価に反映できる。
【０１２４】
第１０の態様に係る評価システム（１）では、第９の態様において、環境情報（Ｄ２）は、ヒューマンモデル（ＨＭ１，ＨＭ２）から発せられる要素に起因する環境に関する情報を含む。
【０１２５】
この態様によれば、ヒューマンモデル（ＨＭ１，ＨＭ２）自体が環境に与える影響を、ヒューマンモデル（ＨＭ１，ＨＭ２）の状態の評価に反映できる。
【０１２６】
第１１の態様に係る評価システム（１）では、第１〜１０のいずれかの態様において、環境情報（Ｄ２）は、ヒューマンモデル（ＨＭ１，ＨＭ２）に対して作用を及ぼし得る温度及び照明の少なくとも一方に関する情報を含む。
【０１２７】
この態様によれば、人に特定の作用を及ぼしやすい温度及び照明の少なくとも一方を、ヒューマンモデル（ＨＭ１，ＨＭ２）の状態の評価に反映できる。
【０１２８】
第１２の態様に係る評価システム（１）では、第１〜１１のいずれかの態様において、調整部（１５）を更に備える。調整部（１５）は、環境情報（Ｄ２）に対応する環境を調整する仮想設備（ＶＥ１〜ＶＥ３）の仮想空間（ＶＳ１）における個数及び配置の少なくとも一方を決定する。
【０１２９】
この態様によれば、仮想空間（ＶＳ１）中に配置される仮想設備（ＶＥ１〜ＶＥ３）の個数及び配置を変更できる。
【０１３０】
第１３の態様に係る空間の設計支援システムは、第４又は５の態様に係る評価システム（１）と、表示装置（６）と、を備える。提示部（１４）は、提示画面（Ｉｍ１）を表示装置（６）に表示させる。
【０１３１】
この態様によれば、ヒューマンモデル（ＨＭ１，ＨＭ２）の状態の評価の精度の向上を図ることが可能である、という利点がある。
【０１３２】
第１４の態様に係る空間の設計支援システムは、第１３の態様において、仮想空間（ＶＳ１）は現実空間を模擬した空間である。提示部（１４）は、仮想空間（ＶＳ１）におけるヒューマンモデル（ＨＭ１，ＨＭ２）の状態の評価結果に応じた提示画面（Ｉｍ１）を表示装置（６）に表示させる。
【０１３３】
この態様によれば、ユーザ（Ｕ１）は、ヒューマンモデル（ＨＭ１，ＨＭ２）の状態の評価結果を、ヒューマンモデル（ＨＭ１，ＨＭ２）の表示態様から視覚的に理解しやすくなる。
【０１３４】
第１５の態様に係る評価方法は、第１取得ステップと、第２取得ステップと、評価ステップと、を有する。第１取得ステップは、モデル情報（Ｄ１）を取得するステップである。モデル情報（Ｄ１）は、仮想空間（ＶＳ１）に配置されるヒューマンモデル（ＨＭ１，ＨＭ２）に関する情報である。ヒューマンモデル（ＨＭ１，ＨＭ２）は、人のモデルデータからなる。第２取得ステップは、環境情報（Ｄ２）を取得するステップである。環境情報（Ｄ２）は、仮想空間（ＶＳ１）に対応付けられておりヒューマンモデル（ＨＭ１，ＨＭ２）に対して特定の作用を及ぼし得る環境に関する情報である。評価ステップは、モデル情報（Ｄ１）と環境情報（Ｄ２）とに基づいて、ヒューマンモデル（ＨＭ１，ＨＭ２）の状態を評価するステップである。
【０１３５】
この態様によれば、ヒューマンモデル（ＨＭ１，ＨＭ２）の状態の評価に、仮想空間（ＶＳ１）に対応付けられておりヒューマンモデル（ＨＭ１，ＨＭ２）に対して特定の作用を及ぼし得る環境が反映される。例えば、現実空間（ＲＳ１）においては、温度（熱）及び照明（光）といった様々な環境が、現実空間（ＲＳ１）に実在する人に対して特定の作用を及ぼす。そして、環境が人に及ぼす作用により、例えば、人の快適性等が変化する。上記評価方法では、このような環境を加味した評価を、ヒューマンモデル（ＨＭ１，ＨＭ２）が配置される仮想空間（ＶＳ１）においても適用することで、現実の「人」により近い形で、ヒューマンモデル（ＨＭ１，ＨＭ２）の状態を評価できる。結果的に、ヒューマンモデル（ＨＭ１，ＨＭ２）の状態の評価の精度の向上を図ることが可能である、という利点がある。
【０１３６】
第１６の態様に係るプログラムは、第１５の態様に係る評価方法を、１以上のプロセッサに実行させるためのプログラムである。
【０１３７】
この態様によれば、ヒューマンモデル（ＨＭ１，ＨＭ２）の状態の評価に、仮想空間（ＶＳ１）に対応付けられておりヒューマンモデル（ＨＭ１，ＨＭ２）に対して特定の作用を及ぼし得る環境が反映される。例えば、現実空間（ＲＳ１）においては、温度（熱）及び照明（光）といった様々な環境が、現実空間（ＲＳ１）に実在する人に対して特定の作用を及ぼす。そして、環境が人に及ぼす作用により、例えば、人の快適性等が変化する。上記プログラムでは、このような環境を加味した評価を、ヒューマンモデル（ＨＭ１，ＨＭ２）が配置される仮想空間（ＶＳ１）においても適用することで、現実の「人」により近い形で、ヒューマンモデル（ＨＭ１，ＨＭ２）の状態を評価できる。結果的に、ヒューマンモデル（ＨＭ１，ＨＭ２）の状態の評価の精度の向上を図ることが可能である、という利点がある。
【０１３８】
上記態様に限らず、実施形態１及び実施形態２に係る評価システム（１）の種々の構成（変形例を含む）は、評価方法又はプログラムにて具現化可能である。
【０１３９】
第２〜１２の態様に係る構成については、評価システム（１）に必須の構成ではなく、適宜省略可能である。
【符号の説明】
【０１４０】
１  評価システム
１１  第１取得部
１２  第２取得部
１３  評価部
１４  提示部
１５  調整部
Ａ１  周辺エリア
Ｄ１  モデル情報
Ｄ２  環境情報
ＨＭ１，ＨＭ２  ヒューマンモデル
Ｉｍ１  提示画面
Ｒ１  拡張現実領域
ＲＳ１  現実空間
Ｕ１  ユーザ
ＶＳ１  仮想空間
ＶＥ１〜ＶＥ３  仮想設備
【図１】
2020174886.tif 000003
【図２】
2020174886.tif 000004
【図３】
2020174886.tif 000005
【図４】
2020174886.tif 000006
【図５】
2020174886.tif 000007
【図６】
2020174886.tif 000008
【図７】
2020174886.tif 000009
【国際調査報告】
2020174886.tif 000010
2020174886.tif 000011
2020174886.tif 000012
2020174886.tif 000013
2020174886.tif 000014